(57)【特許請求の範囲】
【請求項１】
データを逐次受け付けると共に、該受け付けたデータを逐次送信する送信装置であって、
無線通信によりデータの送信を行う送信手段と、
前記データの送信を禁止する第１の指示を受け付けた場合に、前記受け付けたデータの送信手段による送信を禁止し、かつ、前記データの送信を許可する第２の指示を受け付けた場合に、前記禁止されていたデータの送信を許可する制御手段とを備え、
前記制御手段は、前記送信装置を検査モードに移行させる指示を受け付けた場合にのみ、前記第１の指示を受け付けることを特徴とする送信装置。
【請求項２】
前記制御手段は、前記第１の指示および第２の指示を遠隔制御装置から受け付けることを特徴とする請求項１記載の送信装置。
【請求項３】
前記送信手段は、さらに、前記受け付けたデータの送信が禁止されていることを示す信号を送信することを特徴とする請求項１または２に記載の送信装置。
【請求項４】
請求項１から３の何れか１項に記載の送信装置と、
前記送信装置から送られてくるデータを受信する受信装置とを備えることを特徴とする無線通信システム。
【請求項５】
前記送信装置の送信手段は、さらに、前記受け付けたデータの送信が禁止されていることを示す信号を送信し、
前記受信装置は、前記信号に基づいた表示を行う表示手段を備えることを特徴とする請求項４記載の無線通信システム。
【請求項６】
送信装置と、該送信装置からのデータを受信する受信装置とを備える無線通信システムにおいて、
該無線通信システムに関する各種設定の変更操作が可能となる遠隔制御装置を有し、
前記送信装置は、前記データを送信するためのアンテナを有し、
前記受信装置は、前記送信装置からのデータを受信するためのアンテナを有し、
前記送信装置および受信装置のそれぞれは、前記遠隔制御装置からの指示としての操作信号を受信するための操作信号受信手段を有し、
前記遠隔制御装置は、前記送信装置および前記受信装置の有するアンテナの通信状態を通信可能状態あるいは不可能状態のいずれかに切換えるための切換操作信号を発生することで該通信状態を切換える切換操作が可能であり、
前記送信装置および前記受信装置のそれぞれは、前記操作信号受信手段で受信した切換操作信号を受けた時に、自身が有する前記アンテナを通信可能あるいは不可能状態になるように制御するための制御手段を備え、
前記送信装置が備える制御手段は、該送信装置を検査モードに移行させる指示を前記遠隔制御装置より受け付けた場合にのみ、前記送信装置が有するアンテナを通信不可能状態に切換えるための前記切換操作信号を受け付けることを特徴とする無線通信システム。
【請求項７】
前記送信装置および前記受信装置が有する前記アンテナの通信状態が通信可能状態かあるいは通信不可能状態のいずれかであることを、前記無線通信システムの利用者が認識できるようにするための通信状態認識手段を設けたことを特徴とする請求項６に記載の無線通信システム。
【請求項８】
前記受信装置は、前記送信装置から受信した映像信号あるいは前記遠隔制御装置から受信した操作信号を表示するための表示手段と、前記通信状態を該表示手段に表示するために通信状態情報を記憶した記憶手段とを備え、
前記操作信号受信手段で、所定の操作信号を受けた時には、前記通信状態認識手段としてアンテナの通信状態に相当する通信状態情報を記憶手段から呼び出して前記表示手段に表示するように制御することを特徴とする請求項６または７に記載の無線通信システム。
【請求項９】
前記記憶手段には、前記通信状態情報と前記アンテナに関する項目あるいは記号を表示手段に表示するための情報とが記憶され、
前記操作信号受信手段で、前記所定の操作信号とは異なる他の所定の操作信号を受けた時には、
受信中の前記映像信号に重ねて前記アンテナに関する項目あるいは記号を前記通信状態情報と並行表示することを特徴とする請求項８に記載の無線通信システム。
【請求項１０】
前記操作手段は、検査工程のみに操作可能としたことを特徴とする請求項６から９の何れか１項に記載の無線通信システム。
【請求項１１】
請求項１から３の何れか１項に記載の送信装置の制御手段としてコンピュータを機能させるためのプログラム。
【請求項１２】
請求項１１記載のプログラムを記録したコンピュータ読み取り可能な記録媒体。
【発明の詳細な説明】
【技術分野】
【０００１】  本発明は、無線ＬＡＮ等の無線通信により、画像データを伝送して表示させる無線通信システムに関し、特に複数のアンテナの通信性能を検査することが可能な無線通信システムに関する。また、該無線通信システムを構成する送信装置、プログラム、および、プログラムを記録したコンピュータ読み取り可能な記録媒体に関する。
【背景技術】
【０００２】  近年、液晶テレビジョン装置やＣＲＴテレビジョン装置などの持ち運び可能な可搬型の無線通信装置が提案され、ＩＥＥＥ８０２．１１もしくはＩＥＥＥ８０２．１１Ｂに準拠するＳＳ（Ｓｐｒｅａｄ  Ｓｐｅｃｔｒｕｍ：スペクトラム拡散）無線方式を使用して、映像信号を送受信するものが提案されている。更に、この無線通信装置にあっては、上記無線方式だけでなく、データ転送速度が高速化される次世代携帯電話装置、ＰＨＳ（Ｐｅｒｓｏｎａｌ  Ｈａｎｄｙ−Ｐｈｏｎｅ  Ｓｙｓｔｅｍ）、あるいは、Ｂｌｕｅ  Ｔｏｏｔｈにも用いることができるものも提案されている。【０００３】  このような無線方式においては受信アンテナが必要となるが、一般的に、ＳＳ無線方式やＢｌｕｅ  Ｔｏｏｔｈ無線方式等で用いられている周波数帯域２．４ＧＨｚ帯用のアンテナ素子１２のアンテナ長は、無線波長の１／４に相当する約３ｃｍとなる。【０００４】  このアンテナは、互いに垂直な位置関係にある一対のメインアンテナエレメントを用いている（特許文献１（特開平２−２７８９０３号公報（公開日：平成２年１１月１５日））参照）。一対のアンテナエレメントは、互いのアンテナエレメントの配置関係が垂直方向に配置されることにより、各方向への利得を確保することが可能となり、ワイヤレス通信における発信体から放射される電波の偏波面、方向の変化に対応した受信性能を引き出すことが可能となる。【０００５】  画像データを受信してそれをＳＳ無線方式で送信する送信装置と、その画像データを受信して表示する表示装置では、出荷前の検査段階において、各部品が筐体に収納された状態で送信装置から一定映像を送信し、表示装置に表示される映像の表示状態をチェックして良否を判別していた。【０００６】  しかし、この検査工程では、送信装置と受信装置が生産ライン上で複数個隣接して配列されて検査が行われるが、検査用チャンネル数に限界があるため、混信を起こす可能性があり、受信装置がペアを組むべきものではない送信装置からの無線を受信してしまう場合もあり得る。そのため、検査するときにのみ電源をオンする方法が考えられるが、生産ライン上で送受信試験を行う度に製品の主電源ボタン等の入／切作業を行うと、かえってその作業に手間がかかるという問題がある。
【発明の開示】
【０００７】  本発明は、斯かる実情に鑑み、検査工程において、隣接した同じ製品同士の混信を防止することができる、送信装置、無線通信システム、プログラム、および、プログラムを記録したコンピュータ読み取り可能な記録媒体を提供することを目的とするものである。
【０００８】  本発明に係る送信装置は、上記の課題を解決するために、データを逐次受け付けると共に、該受け付けたデータを逐次送信する送信装置であって、無線通信によりデータの送信を行う送信手段と、第１の指示を受け付けた場合に、前記受け付けたデータの送信手段による送信を禁止し、かつ、第２の指示を受け付けた場合に、前記禁止されていたデータの送信を許可する制御手段とを備えることを特徴としている。
【０００９】  上記の構成によれば、送信手段により、逐次受け付けたデータを、無線通信により、受信側の装置へ逐次送信することができる。また、制御手段が第１の信号を受け付けた場合には、前記制御手段により、前記受け付けたデータの送信手段による送信を禁止することができる。さらに、制御手段が第２の信号を受け付けた場合には、前記制御手段により、前記禁止されていたデータの送信を許可することができる。
【００１０】  それゆえ、例えば製品出荷前の検査工程時等のように、少なくとも、自装置と同じ構成を有する他の送信装置が、互いに近くに配されている状況下においては、以下のことが可能となる。
【００１１】  まず、他の送信装置に受信側の装置へのデータ送信を行わせる場合には、前記制御手段により自装置のデータ送信を禁止することにより、受信側の装置において、他の送信装置と自装置との間でのデータ混信を防止できる。
【００１２】  また、自装置に受信側の装置へのデータ送信を行わせる場合には、他の送信装置が該装置の制御手段によりデータ送信を禁止することにより、受信側の装置において、自装置と他の送信装置との間でのデータ混信を防止できる。この際、自装置において既に上記禁止の状態にある場合には、自装置の制御手段により上記禁止されていたデータの送信を許可することにより、自装置のデータ送信が可能となる。
【００１３】  したがって、他の送信装置との間において、受信側の装置でのデータ混信を防止可能な送信装置を提供することができるという効果を奏する。
【００１４】  なお、受信側の装置は、送信装置毎に備えられていてよいし、あるいは、複数の送信装置に対して、１つ備えられていてもよい。
【００１５】  また、本発明に係る無線通信システムは、上記の課題を解決するために、上記の送信装置と、前記送信装置から送られてくるデータを受信する受信装置とを備えることを特徴としている。
【００１６】  上記の構成によれば、無線通信システムは、上述した送信装置と、該送信装置から送られてくるデータを受信する受信装置とを備えている。
【００１７】  それゆえ、例えば製品出荷前の検査工程時等のように、自システムと同じ構成を有する他のシステムが、互いに近くに配されている状況下においても、他のシステムとの間において、受信装置でのデータ混信を防止可能な無線通信システムを提供することができるという効果を奏する。
【００１８】  また、本発明に係る無線通信システムは、上記の課題を解決するために、一対のアンテナを有する送信装置と受信装置を備える無線通信システムにおいて、該無線通信システムに関する各種設定の変更操作が可能となる操作手段を有し、前記操作手段からの指示としての操作信号を受信するための操作信号受信手段を有し、前記操作手段は、前記送信装置あるいは受信装置の有するアンテナのうち少なくともいずれか一方の通信状態を通信可能状態あるいは不可能状態のいずれかに切換えるための切換操作信号を発生することで該通信状態を切換える切換操作が可能であり、前記送信装置あるいは受信装置は、前記操作信号受信手段で受信した切換操作信号を受けた時に、一対のアンテナのうち少なくともいずれか一方のアンテナを通信可能あるいは不可能状態になるように制御するための制御手段を備えたことを特徴としている。
【００１９】  上記の構成によれば、検査工程時に検査対象となる送信装置及び受信装置のアンテナ通信のみが可能となり、検査対象以外の送信装置及び受信装置のアンテナ通信が不可能な状態になる。したがって、検査工程時に送信部（送信装置の図示しない送信部）の電源入／切操作を行うことなく、例えば検査用リモコンの所定キーの操作で制御できる。これにより、他の操作と並行して操作を行うことができ、かつ、同時に検査対象以外の無線の混信を防止して送受信検査を行うことができる。したがって、作業効率が向上する
また、本発明に係るプログラムは、上記の課題を解決するために、上記送信装置の制御手段としてコンピュータを機能させるためのプログラムであることを特徴としている。
【００２０】  したがって、上記プログラムをコンピュータシステムにロードすることによって、上記送信装置をユーザに提供することが可能となるという効果を奏する。
【００２１】  また、本発明に係る記録媒体は、上記の課題を解決するために、上記プログラムを記録したコンピュータ読み取り可能な記録媒体であることを特徴としている。
【００２２】  したがって、上記記録媒体に記録されているプログラムをコンピュータシステムにロードすることによって、上記送信装置をユーザに提供することが可能となるという効果を奏する。
【図面の簡単な説明】
【００２３】
【図１】本発明に係る無線通信システムの一実施形態を表した構成図である。
【図２（ａ）】逆Ｌ型アンテナの構造を示す斜視図である。
【図２（ｂ）】逆Ｆ型アンテナの構造を示す斜視図である。
【図３】映像伝送ユニットの一例を示す分解図である。
【図４】表示ユニットの一例を示す組み込み図である。
【図５】本発明に係る無線通信システムを示すブロック図である。
【図６】検査工程における表示ユニットの表示画面を示す説明図である。
【図７】検査工程における映像伝送ユニットのアンテナの機能を示すタイムチャートである。
【発明を実施するための最良の形態】
【００２４】  以下、本発明の実施の形態を添付図面を参照して説明する。【００２５】  まず、図１に示すように、本発明の無線通信システムは、映像データを受信してそれをＳＳ無線方式にて伝送する映像伝送ユニット（送信装置）２０と、画像データを受信して表示する持ち運び可能な表示ユニット（受信装置）３０と、リモートコントロール装置（操作手段・遠隔制御装置）（図示せず）の組み合わせによって構成される。【００２６】  映像伝送ユニット２０は、例えば、ＣＡＴＶの信号やテレビ電波を受信して比較的大容量の映像信号を表示ユニット３０に送るには数ＧＨｚオーダー以上の周波数帯域の搬送波を用いた発信手段であることが好ましい。そのため、例えば直接拡散（ＤＳ）方式や周波数ホッピング（ＦＨ）方式といったいわゆるＳＳ（Ｓｐｒｅａｄ  Ｓｐｅｃｔｒｕｍ：スペクトラム拡散）無線方式等の通信方式であることが好ましい。【００２７】  表示ユニット３０は主に、液晶パネルからなる表示画面部３１、表示画面部３１の左右両側に配置された半円形状のスピーカ格納部３２、スタンド３３、映像処理回路（図示せず）、表示ユニット全体を持ち運びを可能にするための取っ手３４等から構成される。表示画面部３１には液晶パネルを用いているが、特にこれに限定されるわけでなく、表示素子を構成する部材であればよい。特に携行性に適した薄型の表示素子であると尚良く、有機／無機ＥＬ表示素子やＦＥＤ表示素子、プラズマ表示素子等が挙げられる。【００２８】  これらＳＳ無線方式の送受信装置（映像伝送ユニット２０と表示ユニット３０）は、発信手段等を含めた回路と複数のアンテナ等を備えている。【００２９】  次に、各ユニット２０，３０に用いるアンテナについて説明する。【００３０】  図２は、このアンテナの構造を示す斜視図であり、（ａ）は逆Ｌ型アンテナ、（ｂ）は逆Ｆ型アンテナである。逆Ｌ型アンテナ５０は、矩形上のアンテナ基板５１と、側面逆Ｌ字状の金属板からなるアンテナ素子部５２とから構成されている。一方、逆Ｆ型アンテナ５５は、矩形上のアンテナ基板５６と、側面逆Ｆ字状の金属板からなるアンテナ素子部５７とから構成されている。アンテナはどちらのタイプを用いても構わないが、本実施形態においては、逆Ｆ型アンテナを用いるものとする。【００３１】  図３に示すように、映像伝送ユニット２０は、上面カバー２１ａ、前面パネル２１ｂ、底面カバー２１ｃの筐体内にチューナ部２３やビデオ端子２４等を搭載したセンター基板２２等の部品を収納しており、上面カバー２１ａ、前面パネル２１ｂは取り外し可能である。映像伝送ユニット２０の筐体内部には、さらに図３に示すように、アンテナ２６、及びアンテナ２７が互いに直交関係を保持するように配置されており、各アンテナ２６，２７は、ケーブル２８，２９を介して無線通信送信部２５に接続される。これにより、表示ユニット３０におけるアンテナ配置と同様に（詳しくは後述する）、互いのアンテナの配置関係が垂直方向に配置されることにより、各方向への利得を確保することが可能となる。こうして、ワイヤレス通信における発信体から放射される電波の偏波面、方向の変化に対応した受信性能を引き出すことが可能となる。【００３２】  図４に示す���うに、アンテナ４１〜４３が、ビスを介して表示ユニット３０の前面キャビネット４７に固定されつつ、無線通信受信部４６へケーブルを介して接続される。アンテナ４１，４２は、互いに取り付け方向が９０度異なるように、スピーカ格納部３２であってスピーカ４４，４５の上方に配置されている。アンテナ４３は、アンテナ４１，４２と互いに取り付け方向が９０度異なるように、表示画面部３１が収容されている部分に配置される。これにより、互いのアンテナ４１〜４３の配置関係が垂直方向に配置されることにより、各方向への利得を確保することが可能となり、ワイヤレス通信における発信体から放射される電波の偏波面、方向の変化に対応した受信性能を引き出すことが可能となる。【００３３】  なお、各ユニット２０，３０が有するアンテナは、お互いに垂直方向に配置されているが、これに限るわけではなく、異方性配置の関係にあればよい。また、アンテナ数も２つ以上であればよく、特に数に限定があるわけではない。【００３４】  また、図５には本発明に係る無線通信システムにおける機能ブロック図を示す。【００３５】  映像伝送ユニット２０は、一般的な構成として、放送信号を受信する受信手段６１、受信した放送信号の映像信号を信号処理する映像処理手段６２、受信した放送信号の音声信号を信号処理する音声処理手段６３、映像処理手段６２および音声処理手段６３で処理された信号を圧縮するエンコーダ６４、エンコーダ６４で圧縮された信号を表示ユニット３０へ送信する無線送受信手段６５等から構成されている。なお、無線送受信手段６５が、請求の範囲に記載の送信手段に該当する。また、この無線送受信手段６５は、無線通信送信部２５、各アンテナ２６，２７、およびケーブル２８，２９により構成される。【００３６】  表示ユニット３０は、一般的な構成として、映像伝送ユニット２０の無線送受信手段６５から送信される映像信号を受信する無線送受信手段７９、無線送受信手段７９で受信した映像信号を伸長するデコーダ７０、デコーダ７０で伸長された映像信号を信号処理する映像処理手段７１、映像処理手段７１で信号処理された映像を表示する表示手段７２、デコーダ７０で伸長された音声信号を信号処理する音声処理手段７３、音声処理手段７３で信号処理された音声を出力するスピーカ７４、表示ユニット３０の制御を行うマイコン７５およびＲＯＭ７６、表示ユニット３０の操作を行うリモートコントロール装置（以降、リモコンと略す）８０からの信号を受信する受光手段７８等から構成されている。なお、表示画面部３１は、表示手段７２の一部（画面部分）に相当する。【００３７】  映像伝送ユニット２０は、受信手段６１で受信した放送信号を映像処理手段６２に送り映像搬送波等の除去を行うなどの信号処理を行い、再度無線通信信号を送るために映像圧縮処理等の作業を行うエンコーダ６４を介して無線送受信手段６５から設定された搬送周波数に重畳されて表示ユニット３０に送るといった一連の作業を主に行っている。また、これらの処理を適切に行うために映像伝送ユニット２０にはマイコン６７および各種設定値を記憶保持するためのＲＯＭ（記憶手段）６８を有している。また、このＲＯＭ６８に記録された設定値をマイコン６７を介して変更可能にするための手段として、リモコン８０からの所定信号を受光するための受光手段６９を設けてもよいが、リモコン８０からの制御信号は、表示ユニット３０側にも設けられた受光手段７８とマイコン７５を介して、無線送受信手段７９から無線送受信手段７９で無線通信してマイコン６７に通信する通信経路を用いても良い。なお、マイコン６７が、請求の範囲に記載の制御手段に該当する。また、受光手段６９が、請求の範囲に記載の操作信号受信手段に該当する。【００３８】  ここで、映像伝送ユニット２０における、受光手段６９、マイコン６７、および無線送受信手段６５について、さらに詳しく説明する。【００３９】  受光手段６９は、リモコン８０からの各種信号を受信し、受信した信号をマイコン６７に送る。【００４０】  マイコン６７は、受光手段６９から送られてきた信号を受け付ける。ここで受け付けた信号が、表示ユニット３０へのデータ送信を禁止することを指示する信号（第１の指示）である場合、マイコン６７は、無線送受信手段６５に対して、表示ユニット３０へのデータ送信を禁止する旨の指示（以下、送信側禁止指示と称する）を送る。【００４１】  無線送受信手段６５は、マイコン６７より上記送信側禁止指示を受ける。そして、上記送信側禁止指示を受けると、無線送受信手段６５は、表示ユニット３０へのデータ送信を禁止（既にデータ送信している場合には停止）する。【００４２】  一方、上記のようにデータ送信を禁止している状況において、マイコン６７が、受光手段６９から、上記禁止されていたデータの送信を許可することを示す信号（第２の指示）を受け付けた場合、マイコン６７は、無線送受信手段６５に対して、上記禁止されていたデータの送信を許可する旨の指示（以下、送信側許可指示と称する）を送る。【００４３】  無線送受信手段６５は、マイコン６７より上記送信側許可指示を受ける。そして、上記送信側許可指示を受け付けると、無線送受信手段６５は、表示ユニット３０へのデータ送信を開始（一旦データ送信がなされていた場合には再開）する。【００４４】  表示ユニット３０は、無線送受信手段６５から送信された放送信号を無線送受信手段７９で受信し通信波等の除去を行うなどの処理を行い、映像信号処理等の作業を行うデコーダ７０を介して映像処理手段７１から表示手段７２に表示するといった一連の作業を主に行っている。また、これらの処理を適切に行うために表示ユニット３０にはマイコン７５および各種設定値を記憶保持するためのＲＯＭ（記憶手段）７６を有している。また、このＲＯＭ７６に記録された設定値をマイコン７５を介して変更可能にするための手段として、リモコン８０からの所定信号を受光するための受光手段７８を設けて各種制御を行うようにすることが可能となる。なお、マイコン７５が、請求の範囲に記載の制御手段に該当する。また、受光手段７８が、請求の範囲に記載の操作信号受信手段に該当する。【００４５】  ここで、表示ユニット３０における、受光手段７８、マイコン７５、および、無線送受信手段７９について、さらに詳しく説明する。【００４６】  受光手段７８は、リモコン８０からの各種信号を受信し、受信した信号をマイコン７５に送る。【００４７】  マイコン７５は、受光手段７８から送られてきた信号を受け付ける。ここで受け付けた信号が、データの受信を禁止することを指示する信号である場合、マイコン７５は、無線送受信手段７９に対して、映像伝送ユニット２０から送られてくるデータの受信を禁止する旨の指示（以下、受信側禁止指示と称する）を送る。【００４８】  無線送受信手段７９は、マイコン７５より上記受信側禁止指示を受ける。そして、上記受信側禁止指示を受けると、無線送受信手段７９は、映像伝送ユニット２０から送られてくるデータの受信を禁止（既にデータ受信している場合には停止）する。【００４９】  一方、上記のようにデータ受信を禁止している状況において、マイコン７５が、受光手段７８から、上記禁止されていたデータの受信を許可することを示す信号を受け付けた場合、マイコン７５は、無線送受信手段７９に対して、上記禁止されていたデータの送信を許可する旨の指示（以下、受信側許可指示と称する）を送る。【００５０】  無線送受信手段７９は、マイコン７５より上記受信側許可指示を受ける。そして、上記受信側許可指示を受け付けると、無線送受信手段７９は、映像伝送ユニット２０から送られてくるデータの受信を開始（一旦データ送信がなされていた場合には再開）する。【００５１】  さて、このような映像伝送ユニット２０と表示ユニット３０とについて、出荷前の検査工程で検査を行うわけであるが、以下にアンテナの通信性能に関する検査について説明する。【００５２】  検査工程にある全ての映像伝送ユニット２０と表示ユニット３０は電源オン状態になっており、また全ての表示ユニット３０のアンテナは動作可能状態になっている。一方、映像伝送ユニット２０のアンテナは機能停止状態にある。すなわち、表示ユニット３０のマイコン７５は、アンテナ４１，４２，４３を有する無線送受信手段７９からの信号を受信できるようになっている。一方、映像伝送ユニット２０のマイコン６７は、アンテナ２６，２７を有する無線送受信手段６５への信号出力を停止している。これは、マイコン６７，７５の内部に無線送受信手段６５，７９の信号の入出力に関する制御機能があり、リモコン８０を操作する作業者の指示によってオン／オフ動作する。つまり、マイコン６７，７５には、無線送受信手段６５，７９の信号の入出力に関する制御機能が備えられており、上述した信号の受信や信号出力の停止は、リモコン８０を操作する作業者の指示に従い、上記制御機能により行われる。【００５３】  図７に示すように、作業者は、以下のような過程を経て、アンテナ通信状態のＯＮ期間切換を実現する。つまり、まず予めリモコンあるいは本体（映像伝送ユニット２０）に配置された操作部のキーを用いて作業者のみが調整を行うことができる検査モードに入ると、図６のような各種調整項目が表示される（例えば『ＣＨ』〜『ＳＳ−ＴＸ』等。詳細は後述。）。そしてこのうち、『ＳＳ−ＴＸ』という項目表示はアンテナによる通信状態を表示するための項目であり、具体的には送信側である映像伝送ユニット２０のアンテナからの信号伝送の是非（つまり、信号が送られてきたか否か）を『ＯＮ』あるいは『ＯＦＦ』と切換えて表すことができる。これらの表示は、例えばリ���コン等から発せられるアンテナの通信状態を切換えるための切換操作信号によって、アンテナの通信状態が切換えられる作業と並行して、切換えられる。【００５４】  尚、これらの各種項目を表示するために記憶させる情報（例えばここでは『ＳＳ−ＴＸ』や『ＯＮ』、『ＯＦＦ』という文字情報等）は例えば、表示ユニット３０のＲＯＭ７６等に記憶させておき、リモコンからの指示に端を発したマイコン７５等の制御によって表示手段７２等に表示されるべく、ＲＯＭ７６から呼び出されて表示される。以上の操作によって、図７のＯＮ期間を開始及び終了が可能となる。【００５５】  尚、本実施形態においては通信状態認識させるための通信状態認識手段としてＲＯＭ７６に記憶された各種文字あるいは記号と表示手段７２とから構成されているが、その手段として表示手段の画面上に表示させることにとどまらず、例えば映像伝送ユニット２０又は表示ユニット３０のいずれかに設けられたＬＥＤによって所定の表示（点滅あるいは発光色切換）等によって実現することも十分可能である。【００５６】  また、図６のように検査工程中は、アンテナ通信状態を表示する項目『ＳＳ−ＴＸ』をその状態とともに常に画面表示させておくことによって、受信した映像はアンテナの通信状態が可能な状態で正常に受信されているものかを容易に確認することが可能にもなる。【００５７】  そして、図７に示すように、検査が終了すると、作業者はリモコン８０を用いて映像伝送ユニット２０のマイコンから無線送受信手段６５への信号出力をオフにする。【００５８】  以上のように、映像伝送ユニット２０は、データを逐次受け付けると共に、該受け付けたデータを逐次送信する送信装置であって、無線通信によりデータの送信を行う無線送受信手段（送信手段）６５と、上述した第１の指示を受け付けた場合に、前記受け付けたデータの無線送受信手段６５による送信を禁止し、かつ、上述した第２の指示を受け付けた場合に、前記禁止されていたデータの送信を許可するマイコン（制御手段）６７とを備える構成である。【００５９】  この構成によれば、無線送受信手段６５により、逐次受け付けたデータを、無線通信により、表示ユニット３０へ逐次送信することができる。また、マイコン６７により、マイコン６７が上記第１の信号を受け付けた場合には、上記受け付けたデータの無線送受信手段６５による送信を禁止することができる。また、マイコン６７により、マイコン６７が上記第２の信号を受け付けた場合には、上記禁止されていたデータの送信を許可することができる。【００６０】  それゆえ、例えば製品出荷前の検査工程時等のように、少なくとも、自装置と同じ構成を有する他の映像伝送ユニット（他の送信装置）が、互いに近くに配されている状況下においては、以下のことが可能となる。【００６１】  まず、他の映像伝送ユニットに、該他の映像伝送ユニットとペアとなる表示ユニット（以下、他の表示ユニット）へのデータ送信を行わせる場合には、マイコン６７により自ユニット２０のデータ送信を禁止することにより、上記他の表示ユニットにおいて、他の映像伝送ユニットと自ユニット２０との間でのデータ混信を防止できる。【００６２】  また、自ユニット２０に表示ユニッ���３０へのデータ送信を行わせる場合には、他の映像伝送ユニットが該ユニットのマイコンによりデータ送信を禁止することにより、表示ユニット３０において、自ユニット２０と他の映像伝送ユニットとの間でのデータ混信を防止できる。この際、自ユニット２０において既に上記禁止の状態にある場合には、自ユニット２０のマイコン６７により上記禁止されていたデータの送信を許可することにより、自ユニット２０のデータ送信が可能となる。【００６３】  したがって、他の映像伝送ユニットとの間において、表示ユニット３０または他の表示ユニット（受信側の装置）でのデータ混信を防止可能となる。【００６４】  ここで、受信側の装置は、上記のように送信装置毎に備えられていてよいし、あるいは、複数の送信装置に対して、１つ備えられていてもよい。【００６５】  なお、検査前においては、映像伝送ユニット２０のみアンテナを機能停止状態（アンテナへの信号出力停止状態）としたが、検査対象以外の表示ユニット３０のアンテナのみを機能停止としてもよいし、検査対象外の映像伝送ユニット２０及び表示ユニット３０の両方のアンテナを機能停止状態としてもよい。検査するときにのみ通信可能にするための手段として、リモコン８０や本体（映像伝送ユニット２０および／または表示ユニット３０）の操作部（図示せず）を用いてアンテナを機能させる状態（つまり、無線通信を行うことができる状態）に切換る方法を本発明では提案している。【００６６】  ここで、映像伝送ユニット２０のみならず、該ユニット２０とペアをなす表示ユニット３０に関しても、上述した禁止を行う場合には、他の映像伝送ユニットとペアをなす他の表示ユニットが、映像伝送ユニット２０のデータを受信することがなくなる。【００６７】  したがって、検査工程時等における、ペアをなす映像伝送ユニットと表示ユニットとが、複数組、並んで配されるような状況下において、全ての映像伝送ユニットと全ての表示ユニットとの電源が投入された状態であっても、一組の映像伝送ユニットと表示ユニットとの間のみの通信を実現できる。【００６８】  さらに、一つの表示ユニットしか映像が表示されないため、検査作業中に、作業員が現在検査している一表示ユニットを混同するといったおそれもなくなる。【００６９】  また、映像伝送ユニット２０が、ＣＡＴＶの信号をテレビ電波を表示ユニット３０に送る場合には、映像データにあわせて音声データも送られる。このような場合には、表示装置の音声出力のレベルを下げることなく、作業員が現在検査している一表示ユニット以外の表示ユニットから音声の出力をなくすることができる。それゆえ、現在検査中の一つの表示ユニットの音声出力の状態のみを視聴できる。したがって、効率の良い音声出力の確認を行うことも可能となる。【００７０】  また、マイコン７５は、アンテナの選択信号を映像処理手段７１に送り、映像処理手段７１は、その情報を記号化して表示手段７２に表示する。図６にその表示画面の説明を示す。アンテナの選択情報は文字データとして表示され、各文字記号は以下のように設定されている。【００７１】  項目（１）：『ＡＮＴ−ＴＸ』は映像伝送ユニット２０のアンテナが選択可能
選択肢『Ｌ』⇒アンテナ２６を指定、『Ｒ』⇒アンテナ２７を指定、『Ｄ』⇒２６，２７のいずれか一方を自動的に選択する。【００７２】  項目（２）：『ＡＮＴ−ＲＸ』は表示ユニット３０のアンテナが選択可能
選択肢『Ｌ』⇒アンテナ４１を指定、『Ｒ』⇒アンテナ４２を指定、『Ｃ』⇒アンテナ４３を指定、『Ｄ』⇒４１，４２、４３のいずれか一方を自動的に選択する。【００７３】  項目（３）：『ＳＳ−ＴＸ』は映像伝送ユニット２０のアンテナ２６，２７のマイコン６７からの信号出力のオン／オフ切換
選択肢『ＯＮ』⇒映像伝送ユニット２０のアンテナ２６，２７の機能中、『ＯＦＦ』⇒映像伝送ユニット２０のアンテナ２６，２７の機能停止中。【００７４】  図６では、『ＳＳ−ＴＸ』は『ＯＮ』であるので、検査対象の映像伝送ユニット２０のアンテナ２６，２７は機能中であることがわかる。『ＡＮＴ−ＴＸ』は『Ｌ』、『ＡＮＴ−ＲＸ』は『Ｌ』なので、アンテナ２６とアンテナ４１を選択して機能させたことを意味する。【００７５】  『Ｄ』の場合は、マイコン６７，７５が予め設定された順でアンテナを選択する。これらデータはＲＯＭ６８，７６に格納されており、このデータにしたがってアンテナを選択する。送信装置及び受信装置のマイコンが、機能させるアンテナを自動的に選択するので、検査作業者がアンテナを選択する手間が省ける。【００７６】  図７に示すように、検査対象の映像伝送ユニット２０のアンテナのみを通信可能状態とし、これとペアをなす表示ユニット３０の画面には『ＳＳ−ＴＸ』は『ＯＮ』と表示されている。こうして、アンテナの通信状態が不可能な状態（つまり、アンテナを用いた通信が不可能な状態）にある検査対象以外の映像伝送ユニット２０との混信を防止することができ、検査対象の表示ユニット３０が検査対象以外の映像伝送ユニット２０の電波を混信してしまうことがない。そのため、検査工程時に送信部（つまり、無線通信送信部２５）の電源入／切操作を行うことなく送受信検査を行うことができ、作業効率が向上する。【００７７】  また、送信部のＲＦ出力の機能切換を行うための設定項目ＳＳ−ＴＸは、検査工程にのみ用意しているので、ユーザ（作業者を除く一般利用者）による上記切換操作が容易に行われない。つまり、作業者のみが知っているキー操作等を行わないとＳＳ−ＴＸの設定が行えないため、原則として、作業者しかＳＳ−ＴＸを設定することができない。このため、ユーザによる誤操作を引き起こす心配が無い。【００７８】  なお、アンテナの表示記号は文字だけではなく、アイコンでもよいし、アンテナごとに色を変えて表示してもよい。【００７９】  こうして、機能させるアンテナを示す記号を前記表示手段に表示するので、検査工程において、作業者が送受信検査をしている時に、受信している映像信号が適当なアンテナを介して受信しているかを認識することが可能となる。さらに、受信中の映像信号に重ねて前記アンテナ記号を表示させると、ワイヤレス通信システムの受信状態を確認しながら現在機能させているアンテナも同時に特定確認することができる。【００８０】  また、表示ユニット３０の無線送受信手段７９によるデータ受信が禁止されている場合には「ＳＳ−ＲＸ：ＯＮ」という表示を、禁止されていない場合には「ＳＳ−ＲＸ：ＯＦＦ」という表示を、表示ユニット３０の表示画面上に行うことが好ましい。このような表示を行うことにより、表示ユニット３０における受信の禁止、および該禁止が解除されたといった、表示ユニット３０側の設定状況を確認することができる。【００８１】  ところで、表示ユニット３０は、アンテナ４３を備える構成であるが、このアンテナ４３を備えない構成としてもよい。【００８２】  さらに、上記においては、映像伝送ユニット２０のアンテナ２６・２７は、異方性配置の関係にあればよいとして説明したが、必ずしも、これに限定されるものではない。つまり、上記アンテナ２６・２７は、必ずしも、互いに異方性配置の関係になくてもよい。【００８３】  また、表示ユニット３０においても同様であり、アンテナ４１・４２・４３は、必ずしも、互いに異方性配置の関係になくてもよい。【００８４】  また、マイコン６７は、上述したように、上記第１の指示および第２の指示をリモコン８０から受け付ける構成であることが好ましい。この構成によれば、上記第１の指示および第２の指示を、離れた位置から送信することができる。したがって、第１の指示および第２の指示についての入力操作の利便性が向上する。【００８５】  また、上記においては、上述した検査モードに入るために、作業者がリモコン等の操作を行う構成であった。つまり、マイコン６７が、所定の指示を受け付けた場合にのみ、マイコン６７は、上記の第１の指示を受け付ける構成であるといえる。【００８６】  この構成によれば、上記所定の指示を受け付けない限り、データ送信が禁止されない。それゆえ、所定の指示をマイコン６７に送信する仕方を知っている作業員のみが、上記データ送信を禁止することができる。したがって、一般の利用者に対して、上記の仕方を通知しないことにより、一般利用者が、上記データ送信を禁止するモードに自装置を設定してしまうといった事態を防止することができる。【００８７】  また、映像伝送ユニット２０の無線送受信手段６５は、マイコン６７による上記データ送信が禁止されていることを示す信号を、表示ユニット３０に送信することができる。したがって、表示ユニット３０において上記信号を表示させることにより、利用者は、上記データ送信が禁止されていることを視認（確認）することができる。【００８８】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【００８９】  なお、上述した制御手段は、マイコン６７におけるＣＰＵ等の演算手段が、ＲＯＭ（Ｒｅａｄ  Ｏｎｌｙ  Ｍｅｍｏｒｙ）（例えば、ＲＯＭ６８）やＲＡＭ（マイコン内のＲＡＭおよび／またはマイコン外のＲＡＭ）などの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の映像伝送ユニットの各種機能および各種処理を実現することができる。また、上記プログラムをリムーバブルな記録媒体に記録することにより、任意のコンピュータ上で上記の各種機能および各種処理を実現することができる。また、表示ユニットに関しても、同様である。【００９０】  上記記録媒体としては、マイクロコンピュータで処理を行うために図示しないメモリ、例えばＲＯＭのようなものがプログラムメディアであっても良いし、また、図示していないが外部記憶装置としてプログ���ム読取り装置が設けられ、そこに記録媒体を挿入することにより読取り可能なプログラムメディアであっても良い。【００９１】  また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。【００９２】  また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。【００９３】  また、インターネットを含む通信ネットワークを接続可能なシステム構成であれば、通信ネットワークからプログラムをダウンロードするように流動的にプログラムを担持する記録媒体であることが好ましい。【００９４】  さらに、このように通信ネットワークからプログラムをダウンロードする場合には、そのダウンロード用のプログラムは予め本体装置に格納しておくか、あるいは別な記録媒体からインストールされるものであることが好ましい。【００９５】  以上のように、本発明に係る送信装置は、データを逐次受け付けると共に、該受け付けたデータを逐次送信する送信装置であって、無線通信によりデータの送信を行う送信手段と、第１の指示を受け付けた場合に、前記受け付けたデータの送信手段による送信を禁止し、かつ、第２の指示を受け付けた場合に、前記禁止されていたデータの送信を許可する制御手段とを備える構成である。【００９６】  また、本発明に係る送信装置は、上記の送信装置において、前記制御手段は、前記第１の指示および第２の指示を遠隔制御装置から受け付ける構成である。【００９７】  上記の構成によれば、制御手段は、第１の指示および第２の指示を遠隔制御装置から受け付ける。それゆえ、第１の指示および第２の指示を、離れた位置から送信することができる。したがって、第１の指示および第２の指示についての入力操作の利便性が向上するという効果を奏する。【００９８】  また、本発明に係る送信装置は、上記の送信装置において、前記制御手段は、所定の指示を受け付けた場合にのみ、前記第１の指示を受け付ける構成である。【００９９】  上記の構成によれば、制御手段は、所定の指示を受け付けた場合にのみ、第１の指示を受け付ける。つまり、所定の指示を受け付けない限り、データ送信が禁止されない。それゆえ、所定の指示を制御手段に送信する仕方をしっている利用者（例えば、検査担当者）のみが、上記データ送信を禁止���ることができる。したがって、一般の利用者に対して、上記の仕方を通知しないことにより、一般利用者が、上記データ送信を禁止するモードに自装置を設定してしまうといった事態を防止することができるという効果を奏する。【０１００】  また、本発明に係る送信装置は、上記の送信装置において、前記送信手段は、さらに、前記受け付けたデータの送信が禁止されていることを示す信号を送信する構成である。【０１０１】  上記の構成によれば、送信手段により、前記受け付けたデータの送信が禁止されていることを示す信号を、受信側の装置に送信することができる。したがって、例えば、受信側の装置において上記信号を表示させることにより、利用者は、上記データ送信が禁止されていることを視認（確認）することができるという効果を奏する。【０１０２】  また、本発明に係る無線通信システムは、上記の課題を解決するために、上記の送信装置と、前記送信装置から送られてくるデータを受信する受信装置とを備える構成である。【０１０３】  また、本発明に係る無線通信システムは、上記の無線通信システムにおいて、前記送信装置の送信手段は、さらに、前記受け付けたデータの送信が禁止されていることを示す信号を送信し、前記受信装置は、前記信号に基づいた表示を行う表示手段を備える構成である。【０１０４】  上記の構成によれば、送信装置の送信手段により、前記受け付けたデータの送信が禁止されていることを示す信号を、受信装置に送信することができる。また、受信装置の表示手段により、上記信号に基づいた表示を行うことができる。【０１０５】  したがって、利用者は、受信装置において、上記データ送信が禁止されていることを視認（確認）することができるという効果を奏する。【０１０６】  また、本発明に係る無線通信システムは、上記の課題を解決するために、一対のアンテナを有する送信装置と受信装置を備える無線通信システムにおいて、該無線通信システムに関する各種設定の変更操作が可能となる操作手段を有し、前記操作手段からの指示としての操作信号を受信するための操作信号受信手段を有し、前記操作手段は、前記送信装置あるいは受信装置の有するアンテナのうち少なくともいずれか一方の通信状態を通信可能状態あるいは不可能状態のいずれかに切換えるための切換操作信号を発生することで該通信状態を切換える切換操作が可能であり、前記送信装置あるいは受信装置は、前記操作信号受信手段で受信した切換操作信号を受けた時に、一対のアンテナのうち少なくともいずれか一方のアンテナを通信可能あるいは不可能状態になるように制御するための制御手段を備えた構成である。【０１０７】  また、本発明に係る無線通信システムは、上記の無線通信システムにおいて、前記アンテナの通信状態が通信可能状態かあるいは通信不可能状態のいずれかであることを認識できるようにするための通信状態認識手段を設けた構成である。【０１０８】  また、本発明に係る無線通信システムは、上記の無線通信システムにおいて、前記受信装置は、前記送信装置から受信した映像信号あるいは前記操作手段から受信した操作信号を表示するための表示手段と、前記通信状態を該表示手段に表示するために通信状態情報を記憶した記憶手段とを���え、前記操作信号受信手段で受信した所定の操作信号を受けた時には、前記通信状態認識手段としてアンテナの通信状態に相当する通信状態情報を記憶手段から呼び出して前記表示手段に表示するように制御する構成である。【０１０９】  また、本発明に係る無線通信システムは、上記の無線通信システムにおいて、前記記憶手段には、前記通信状態情報と前記アンテナに関する項目あるいは記号を表示手段に表示するための情報とが記憶され、前記操作信号受信手段で受信した所定の操作信号を受けた時には、受信中の前記映像信号に重ねて前記アンテナに関する項目あるいは記号を前記通信状態情報と並行表示する構成である。【０１１０】  また、本発明に係る無線通信システムは、上記の無線通信システムにおいて、前記操作手段は、検査工程のみに操作可能とした構成である。【０１１１】  上記の構成によれば、切換操作手段は検査工程のみに用いる。つまり、送信部のＲＦ出力の機能切換を行うための設定項目ＳＳ−ＴＸは、検査工程にのみ用意しているので、ユーザによる上記切換操作が容易に行われない。したがって、ユーザによる誤操作を引き起こす心配が無い。【０１１２】  また、アンテナを示す項目あるいは記号と該アンテナの信号入出力がオン／オフかを示す文字、記号等を前記表示手段に表示するので、検査工程において、調整者が送受信検査をしている時に、受信部で表示された映像データが混信による伝送によるものではないものかを画面上で容易に確認することが可能となる。【０１１３】  また、受信中の映像信号に重ねて前記アンテナ記号を表示するので、ワイヤレス通信システムの受信状態を確認しながら現在機能させているアンテナも同時に特定確認することができる。【０１１４】  また、本発明に係るプログラムは、上記の課題を解決するために、上記送信装置の制御手段としてコンピュータを機能させるためのプログラムである。【０１１５】  また、本発明に係る記録媒体は、上記の課題を解決するために、上記プログラムを記録したコンピュータ読み取り可能な記録媒体である。
【産業上の利用可能性】
【０１１６】  送信側の装置としては、携帯型電話機、ＰＤＡ、ＤＶＤプレーヤ、ＤＶＤレコーダ、パーソナルコンコンピュータ等の装置に適応可能である。また、受信側の装置としては、携帯型電話機、ＰＤＡ、ＤＶＤプレーヤ、ＤＶＤレコーダ、パーソナルコンコンピュータ等の表示手段を備える装置に適応可能である。また、表示手段を備えるものであれば、電子時レンジや冷蔵庫といった所謂家電製品にも適応可能である。
【図１】
0004137944.tif 000002
【図２（ａ）】
0004137944.tif 000003
【図２（ｂ）】
0004137944.tif 000004
【図３】
0004137944.tif 000005
【図４】
0004137944.tif 000006
【図５】
0004137944.tif 000007
【図６】
0004137944.tif 000008
【図７】
0004137944.tif 000009